(57)【特許請求の範囲】
【請求項１】
腹側部の両側縁部と背側部の両側縁部とが互いに接合されて、ウエスト開口部及び一対のレッグ開口部を有するパンツ型着用物品であって、
背側部の左右それぞれに弾性伸縮部を有し、
左右の前記弾性伸縮部それぞれは、外包材に配された第１胴部弾性部材と第２胴部弾性部材とが交差して形成された背側交差部を具備しており、
前記第１及び前記第２胴部弾性部材は、前記背側交差部の形成位置が、前記パンツ型着用物品を着用したときに着用者の大転子の部位に当接するように、配されており、
腹側部の左右それぞれに弾性伸縮部を有し、
左右の前記弾性伸縮部それぞれは、外包材に配された第３胴部弾性部材と第４胴部弾性部材とが交差して形成された腹側交差部を具備しており、
前記第１、前記第２、前記第３及び前記第４胴部弾性部材それぞれが、斜め方向に延び、
前記第１胴部弾性部材は、前記レッグ開口部の縁部から前記ウエスト開口部の縁部に向って延び、
前記第２胴部弾性部材は、前記背側部の前記側縁部から前記背側部の股下部寄りの中心部に向って延びており、
前記第３胴部弾性部材は、前記腹側部の前記側縁部から前記ウエスト開口部の縁部に向って延び、
前記第４胴部弾性部材は、前記ウエスト開口部の縁部から前記腹側部の股下部寄りの中心部に向って延びているパンツ型着用物品。
【請求項２】
前記背側交差部の中心とパンツ型着用物品の長手方向に延びる中心線との間の距離が、前記腹側交差部の中心と該中心線との間の距離より長く、
前記背側交差部の中心とパンツ型着用物品の幅方向に延びる中心線との間の距離が、前記腹側交差部の中心と該中心線との間の距離より短い請求項１に記載のパンツ型着用物品。
【請求項３】
背側部及び／又は腹側部の左右の前記弾性伸縮部それぞれは、外包材に配された補助胴部弾性部材を有し、該補助胴部弾性部材は、パンツ型着用物品の幅方向に平行に配され且つ前記パンツ型着用物品を着用したときに着用者の腸骨稜から上前腸骨棘にかけての部位に位置するように配されている請求項１又は２に記載のパンツ型着用物品。
【請求項４】
前記外包材が２枚のシート材からなる請求項１〜３の何れか１項に記載のパンツ型着用物品。
【請求項５】
前記第１〜前記第４胴部弾性部材及び補助胴部弾性部材は、それぞれ、全て又は少なくとも１つが、複数本の弾性部材からなっており、複数本の該弾性部材は、互いに重ならないように配されている請求項１〜４の何れか１項に記載のパンツ型着用物品。
【発明の詳細な説明】
【技術分野】
【０００１】
本発明は、使い捨ておむつ等のパンツ型着用物品に関する。
【背景技術】
【０００２】
従来、吸収体を含む吸収性本体と該吸収性本体の非肌当接面側に位置して該吸収性本体を固定している外包材とを備えたパンツ型の使い捨ておむつにおいて、体液の漏れとおむつのズレ落ちとを防止すること等を目的に、脚回りに弾性部材を配したものが知られている。
しかしながら、脚回りに弾性部材を配すれば、着用者の脚回りを締め付け、脚回りに弾性部材によるゴム跡を残してしまう場合がある。
また、体液の漏れとおむつのズレ落ちとを防止すること等を目的に、例えば、引用文献１には、胴回り弾性部材と、該胴回り弾性部材と重なるように配された臀部弾性部材とから形成される弾性伸縮部を備えたパンツ型の使い捨ておむつの技術が開示されている。
【０００３】
しかしながら、引用文献１に記載のパンツ型の使い捨ておむつの弾性伸縮部は、おむつ幅方向に平行な胴回り弾性部材と、その胴回り弾性部材に対し傾斜して重なるように配された臀部弾性部材とから形成されている為、ズレ落ちを効果的に防止することが難しい。また、引用文献１に記載のパンツ型の使い捨ておむつの弾性伸縮部は、脚回りに沿うように、更に別の弾性部材を備えているため、脚回りに弾性部材によるゴム跡を残し易い。
【０００４】
【特許文献１】特開２００６−１４８６２号公報
【発明の開示】
【発明が解決しようとする課題】
【０００５】
したがって、本発明の目的は、脚回りに弾性部材を具備しなくても、体液の漏れとおむつのズレ落ちとを防止することができるパンツ型着用物品を提供することにある。
【課題を解決するための手段】
【０００６】
本発明は、腹側部の両側縁部と背側部の両側縁部とが互いに接合されて、ウエスト開口部及び一対のレッグ開口部を有するパンツ型着用物品であって、背側部の左右それぞれに弾性伸縮部を有し、左右の前記弾性伸縮部それぞれは、外包材に配された第１胴部弾性部材と第２胴部弾性部材とが交差して形成された背側交差部を具備しており、前記第１及び前記第２胴部弾性部材は、前記背側交差部の形成位置が、前記パンツ型着用物品を着用したときに着用者の大転子の部位に当接するように、配されているパンツ型着用物品を提供することにより前記目的を達成したものである。
【発明の効果】
【０００７】
本発明のパンツ型着用物品によれば、脚回りに弾性部材によるゴム跡の軽減を図り、体液の漏れとおむつのズレ落ちとを防止することができる。
【発明を実施するための最良の形態】
【０００８】
以下、本発明のパンツ型着用物品であるパンツ型使い捨ておむつの好ましい一実施形態について、図１〜図５に基づいて説明する。
【０００９】
第1実施形態のパンツ型使い捨ておむつ１Ａは、図２に示すように、パンツ型使い捨ておむつ１Ａの長手方向に延びる中心線ＣＬに対して左右対称に形成されており、背側部Ａの左側の弾性伸縮部Ｄ’は、該中心線ＣＬに対して線対称である以外は、背側部Ａの右側の弾性伸縮部Ｄと同様の構成を有しており、符号にダッシュ（’）を付して示している。同様に、腹側部Ｂの左側の弾性伸縮部Ｅ’は、腹側部Ｂの右側の弾性伸縮部Ｅと同様の構成であり、符号にダッシュ（’）を付して示している。
【００１０】
第１実施形態のパンツ型着用物品（パンツ型使い捨ておむつ）１Ａは、図１〜図３に示すように、背側部Ａの両側縁部２ａ，２ａ’と腹側部Ｂの両側縁部２ｂ，２ｂ’とが互いに接合されて、ウエスト開口部４及び一対のレッグ開口５，５部を有している。
前記パンツ型使い捨ておむつ１Ａは、図２に示すように、背側部Ａの左右それぞれに弾性伸縮部Ｄ，Ｄ’を有し、左右の弾性伸縮部Ｄ，Ｄ’それぞれは、外包材２に配された第１胴部弾性部材２３ａ，２３ａ’と第２胴部弾性部材２３ｂ，２３ｂ’とが交差して形成された背側交差部２４ａ，２４ａ’を具備している。
第１胴部弾性部材２３ａ，２３ａ’は、図２に示すように、レッグ開口部５の縁部５ａ，５ａ’からウエスト開口部４の縁部に向って斜め方向に延び、第２胴部弾性部材２３ｂ，２３ｂ’は、背側部Ａの側縁部２ａ，２ａ’から背側部Ａの股下部Ｃ寄りの中心部に向って斜め方向に延びている。
また、第１胴部弾性部材２３ａ，２３ａ’及び第２胴部弾性部材２３ｂ，２３ｂ’は、図２に示すように、背側交差部２４ａ，２４ａ’の形成位置が、パンツ型使い捨ておむつ１Ａを着用したときに着用者の大転子７の部位（図４及び図５参照）に当接するように、配されている。
【００１１】
前記パンツ型使い捨ておむつ１Ａは、図２に示すように、更に、腹側部Ｂの左右それぞれに弾性伸縮部Ｅ，Ｅ’を有し、左右の前記弾性伸縮部Ｅ，Ｅ’それぞれは、外包材２に配された第３胴部弾性部材２３ｃ，２３ｃ’と第４胴部弾性部材２３ｄ，２３ｄ’とが交差して形成された腹側交差部２４ｂ，２４ｂ’を具備している。
第３胴部弾性部材２３ｃ，２３ｃ’は、図２に示すように、腹側部Ｂの側縁部２ｂ，２ｂ’からウエスト開口部４の縁部に向って斜め方向に延び、第４胴部弾性部材２３ｄ，２３ｄ’は、ウエスト開口部４の縁部４ａから腹側部Ｂの股下部Ｃ寄りの中心部に向って斜め方向に延びている。
【００１２】
前記パンツ型使い捨ておむつ１Ａの背側部Ａの左右の弾性伸縮部Ｄ，Ｄ’及び腹側部Ｂの左右の弾性伸縮部Ｅ，Ｅ’それぞれは、図２に示すように、外包材２に配された補助胴部弾性部材２５ａ，２５ａ’，２５ｂ，２５ｂ’を、更に有している。
補助胴部弾性部材２５ａ，２５ａ’，２５ｂ，２５ｂ’それぞれは、図２に示すように、パンツ型使い捨ておむつ１Ａの幅方向（中心線ＷＬと同方向）に平行に配されており、補助胴部弾性部材２５ａ，２５ａ’，２５ｂ，２５ｂ’それぞれは、パンツ型使い捨ておむつ１Ａを着用したときに着用者の腸骨稜８ａから上前腸骨棘８ｂにかけての部位（図４及び図５参照）に位置するように配されている。
【００１３】
第１実施形態のパンツ型使い捨ておむつ１Ａについて、詳述すると、本実施形態のパンツ型使い捨ておむつ１Ａは、図３に示すように、吸収性コア３４を含む吸収性本体３と吸収性本体３の非肌当接面側に位置して該吸収性本体３を固定している外包材２とを備えている。外包材２は、図２に示すように、その長手方向に、背側部Ａ、股下部Ｃ及び腹側部Ｂを有しており、 本実施形態のパンツ型使い捨ておむつ１Ａは、図１に示すように、外包材２における背側部Ａの両側縁部２ａ，２ａ’と腹側部Ｂの両側縁２ｂ，２ｂ’とが、それぞれ、接合されて一対のサイドシール部６、ウエスト開口部４及び一対のレッグ開口部５，５’が形成されている。外包材２の背側部Ａは、パンツ型使い捨ておむつ１Ａの着用時に、着用者の背側に配される部位であり、腹側部Ｂは、着用者の腹側に配される部位であり、股下部Ｃは、着用者の股間部に配される部位である。外包材２の長手方向は、腹側部Ｂから股下部Ｃを経て背側部Ａに亘る方向又はその逆方向であり、展開状態のおむつの長手方向（図２の上下方向）と同じである。
【００１４】
前記外包材２は、図２及び図３に示すように、その両側縁が、長手方向中央部において内方に括れた形状を有している。また、外包材２は、図２及び図３に示すように、おむつの外面をなす外層シート２１、外層シート２１の内面側に配されている内層シート２２及び両シート２１，２２間に配設された複数本の弾性部材からなる第１胴部弾性部材２３ａ，２３ａ’、第２胴部弾性部材２３ｂ，２３ｂ’、第３胴部弾性部材２３ｃ，２３ｃ’、第４胴部弾性部材２３ｄ，２３ｄ’、補助胴部弾性部材２５ａ，２５ａ’，２５ｂ，２５ｂ’、ウエスト弾性部材２６ａ，２６ａ’，２６ｂ，２６ｂ’、下方補助弾性部材２７ａ，２７ａ’，２７ｂ，２７ｂ’から形成されており、図２に示すように、外包材２の背側部Ａの左右それぞれに弾性伸縮部Ｄ，Ｄ’及び腹側部Ｂの左右それぞれに弾性伸縮部Ｅ，Ｅ’を有している。
【００１５】
前記外包材２の外層シート２１は、図３に示すように、外層シート２１と内層シート２２とによってウエスト弾性部材２６ａ，２６ａ’，２６ｂ，２６ｂ’を挟持固定する部位よりも更に延出する長さを有し、外層シート２１における内層シート２２よりも延出した延出領域２１Ｂ，２１Ｂが吸収性本体３側に折り返されている。内層シート２２は、外層シート ２１の延出領域２１Ｂ以外の部分と同形である。外層シート２１の延出領域２１Ｂは、吸収性本体３の長手方向両端部と重なる部分が、吸収性本体３の略全幅に亘って接着剤（図示せず）を介して接着されている。
【００１６】
上述したように、第１実施形態のパンツ型使い捨ておむつ１Ａは、中心線ＣＬに対して左右対称に形成されており、背側部Ａの右側の弾性伸縮部Ｄと左側の弾性伸縮部Ｄ’とは、同様の構成であり、腹側部Ｂの右側の弾性伸縮部Ｅと左側の弾性伸縮部Ｅ’とは、同様の構成であるので、以下の説明では、右側の弾性伸縮部Ｄ及び弾性伸縮部Ｅについて説明する。
【００１７】
背側部Ａの前記弾性伸縮部Ｄは、外層シート２１と内層シート２２との間に、第１胴部弾性部材２３ａ、第２胴部弾性部材２３ｂ、補助胴部弾性部材２５ａ、ウエスト弾性部材２６ａ、下方補助弾性部材２７ａそれぞれを、伸張状態で固定することにより形成されている。
前記弾性伸縮部Ｄは、図２に示すように、第１胴部弾性部材２３ａと第２胴部弾性部材２３ｂとが交差する背側交差部２４ａを有している。
前記弾性伸縮部Ｄは、図２に示すように、パンツ型使い捨ておむつ１Ａを着用したときに着用者の腸骨稜８ａから上前腸骨棘８ｂにかけての部位（図５参照）に位置する第１領域Ｆ１、第１領域Ｆ１より外方に位置する第２領域Ｆ２、第１領域Ｆ１より内方に位置する第３領域Ｆ３を有している。
【００１８】
前記第１胴弾性部材２３ａは、好ましくは１０〜１５０ｍｍ、更に好ましくは３０〜１００ｍｍの幅の中に少なくとも２本以上、好ましくは３本〜１０本の弾性部材を有するように配設されている。
第１実施形態の第１胴部弾性部材２３ａは、図２に示すように、７本の弾性部材から形成されている。７本の弾性部材は、互いに重ならないように配されている。
複数本の第１胴部弾性部材２３ａの中の中央に位置する弾性部材は、図２に示すように、背側交差部２４ａの略中心において、パンツ型使い捨ておむつ１Ａの幅方向（中心船ＷＬと同方向）に平行で大転子７の中心を通る幅方向大転子中心線７ａと角度αで交差しており、レッグ開口部５の縁部５ａからウエスト開口部４の縁部に向って斜め方向（角度α）に延びている。
ここで、第１実施形態のレッグ開口部５の縁部５ａとは、図２に示すように、複数本の第１胴部弾性部材２３ａの中の中央に位置する弾性部材が、レッグ開口部５の周縁と接しており、その接点が、側縁部２ａの側縁２ａ１から、０〜１９０ｍｍの範囲に位置していることをいう。
また、角度αは、好ましくは、０〜９０°であり、更に好ましくは、３０〜６０°である。
【００１９】
前記第２胴弾性部材２３ｂは、好ましくは１０〜１５０ｍｍ、更に好ましくは３０〜１００ｍｍの幅の中に少なくとも２本以上、好ましくは３本〜１０本の弾性部材を有するように配設されている。
第１実施形態の第２胴部弾性部材２３ｂは、第１胴部弾性部材２３ａと同様に、７本の弾性部材から形成されており、各弾性部材は、互いに重ならないように配されている。
複数本の第２胴部弾性部材２３ｂの中の中央に位置する弾性部材は、図２に示すように、背側交差部２４ａの略中心において、パンツ型使い捨ておむつ１Ａの幅方向（中心船ＷＬと胴方向）に平行で大転子７の中心を通る幅方向大転子中心線７ａと角度βで交差しており、側縁部２ａから背側部Ａの股下部Ｃ寄りの中心部に向って斜め方向（角度β）に延びている。
ここで、第１実施形態の側縁部２ａとは、図２に示すように、複数本の第２胴部弾性部材２３ｂの中の中央に位置する弾性部材が、側縁部２ａの側縁２ａ１と接しており、その接点が、ウエスト開口部４の周縁から、０〜１１５ｍｍの範囲に位置していることをいう。
また、角度βは、好ましくは、０〜９０°であり、更に好ましくは、３０〜６０°である。
【００２０】
前記第１胴部弾性部材２３ａと前記第２胴部弾性部材２３ｂとは、図２に示すように、背側交差部２４ａの形成位置が、パンツ型使い捨ておむつ１Ａを着用したときに着用者の大転子７の部位に当接するように、配されている。
ここで、大転子とは、解剖学の用語である。大転子とは、図４及び図５に示す符号７で示されている部位である。
【００２１】
第１実施形態のパンツ型使い捨ておむつ１Ａを着用した状態で、背側交差部２４ａの形成位置を着用者の大転子７の部位に当接するように配するためには、パンツ型使い捨ておむつ１Ａの寸法と着用者の体格との関係が重要である。
着用対象者が幼児である場合、図２に示すように、背側交差部２４ａの中心とパンツ型着用物品１の長手方向に延びる中心線ＣＬとの間の距離Ｗ１は、好ましくは、１０５〜１５５ｍｍであり、更に好ましくは、１１５〜１４５ｍｍである。更に、背側交差部２４ａの中心とパンツ型着用物品１の幅方向に延びる中心線ＷＬとの間の距離Ｌ１は、好ましくは、１４５〜１８０ｍｍであり、更に好ましくは、１５５〜１７５ｍｍである。
【００２２】
腹側部Ｂの前記弾性伸縮部Ｅは、外層シート２１と内層シート２２との間に、第３胴部弾性部材２３ｃ、第４胴部弾性部材２３ｄ、補助胴部弾性部材２５ｂ、ウエスト弾性部材２６ｂ、下方補助弾性部材２７ｂそれぞれを、伸張状態で固定することにより形成されている。
前記弾性伸縮部Ｅは、図２に示すように、第３胴部弾性部材２３ｃと第４胴部弾性部材２３ｄとが交差する腹側交差部２４ｂを有している。
弾性伸縮部Ｅは、弾性伸縮部Ｄと同様に、第１領域Ｆ１、第１領域Ｆ１より外方に位置する第２領域Ｆ２、第１領域Ｆ１より内方に位置する第３領域Ｆ３を有している。
【００２３】
前記第３胴弾性部材２３ｃは、好ましくは１０〜１５０ｍｍ、更に好ましくは３０〜１００ｍｍの幅の中に少なくとも２本以上、好ましくは３本〜１０本の弾性部材を有するように配設されている。
本実施形態の第３胴部弾性部材２３ｃは、第１胴部弾性部材２３ａと同様に、７本の弾性部材から形成されており、各弾性部材は、互いに重ならないように配されている。
複数本の第３胴部弾性部材２３ｃの中の中央に位置する弾性部材は、図２に示すように、腹側交差部２４ｂの略中心において、パンツ型使い捨ておむつ１Ａの幅方向（中心船ＷＬと胴方向）に平行で腸骨稜８ａと腸骨棘８ｂとの中心を通る幅方向腸骨中心線８ｃと角度γで交差しており、腹側部Ｂの側縁部２ｂからウエスト開口部４の縁部に向って斜め方向（角度γ）に延びている。
ここで、本実施形態の側縁部２ｂとは、図２に示すように、複数本の第３胴部弾性部材２３ｃの中の中央に位置する弾性部材が、側縁部２ｂの側縁２ｂ１と接しており、その接点が、レッグ開口部５の周縁から、０〜１１５ｍｍの範囲に位置していることをいう。
また、角度γは、好ましくは、０〜９０°であり、更に好ましくは、３０〜６０°である。
【００２４】
前記第４胴弾性部材２３ｄは、好ましくは１０〜１５０ｍｍ、更に好ましくは３０〜１００ｍｍの幅の中に少なくとも２本以上、好ましくは３本〜１０本の弾性部材を有するように配設されている。
本実施形態の第４胴部弾性部材２３ｄは、第１胴部弾性部材２３ａと同様に、７本の弾性部材から形成されており、各弾性部材は、互いに重ならないように配されている。
複数本の第４胴部弾性部材２３ｄの中の中央に位置する弾性部材は、図２に示すように、腹側交差部２４ｂの略中心において、パンツ型使い捨ておむつ１Ａの幅方向（中心線ＷＬと同方向）に平行で腸骨稜８ａと腸骨棘８ｂとの中心を通る幅方向腸骨中心線８ｃと角度δで交差しており、ウエスト開口部４の縁部４ａから腹側部Ｂの股下部Ｃ寄りの中心部に向って斜め方向（角度δ）に延びている。
ここで、本実施形態の縁部４ａとは、図２に示すように、複数本の第４胴部弾性部材２３ｄの中の中央に位置する弾性部材が、ウエスト開口部４の周縁と接しており、その接点が、側縁部２ｂの側縁２ｂ１から、０〜１９０ｍｍの範囲に位置していることをいう。
また、角度δは、好ましくは、０〜９０°であり、更に好ましくは、３０〜６０°である。
【００２５】
前記第３胴部弾性部材２３ｃと前記第４胴部弾性部材２３ｄとは、図２に示すように、腹側交差部２４ｂの形成位置が、パンツ型使い捨ておむつ１Ａを着用したときに着用者の腸骨稜８ａと腸骨棘８ｂとのほぼ中心部に当接するように配されている。
ここで腸骨稜及び上前腸骨棘は、解剖学の用語であり、腸骨稜及び上前腸骨棘とは、それぞれ、図５に示す符号８ａ、８ａ’で示されている部位である。
【００２６】
１実施形態のパンツ型使い捨ておむつ１Ａを着用した状態で、腹側交差部２４ｂの形成位置を、着用者の腸骨稜８ａから上前腸骨棘８ｂのほぼ中心部に当接するように配するためには、パンツ型使い捨ておむつ１Ａの寸法と着用者の体格との関係が重要である。
本実施形態のパンツ型使い捨ておむつ１Ａは、背側交差部２４ａの中心とパンツ型使い捨ておむつ１Ａの長手方向に延びる中心線ＣＬとの間の距離Ｗ１が、腹側交差部２４ｂの中心と長手方向に延びる中心線ＣＬとの間の距離Ｗ２より長く、背側交差部２４ａの中心とパンツ型使い捨ておむつ１Ａの幅方向に延びる中心線ＷＬとの間の距離Ｌ１が、腹側交差部２４ｂの中心と幅方向に延びる中心線ＷＬとの間の距離Ｌ２より短く形成されている。
着用対象者が幼児である場合、距離Ｗ２は、好ましくは、８５〜１３５ｍｍであり、更に好ましくは、９５〜１２５ｍｍである。更に、距離Ｌ２は、好ましくは、１８０〜２３０ｍｍであり、更に好ましくは、１４５〜１８０ｍｍである。
【００２７】
本実施形態の第１胴部弾性部材２３ａ，２３ａ’は、図２に示すように、連続しており、右側のレッグ開口部５の縁部５ａからウエスト開口部４の縁部に向って斜め方向（角度α）に延び、第２領域Ｆ２を経由（吸収性本体３の長手方向端部を迂回）して、左側のレッグ開口部５’の縁部５ａ’に到達している。
【００２８】
本実施形態の第２胴部弾性部材２３ｂ，２３ｂ’は、図２に示すように、非連続であり、それぞれ、背側部Ａの側縁部２ａ，２ａ’と吸収性本体３の側縁部近傍との間に亘って配されており、吸収性本体３の側縁部近傍同士の間には配されていない。本実施形態の第４胴部弾性部材２３ｄ，２３ｄ’は、始点がウエスト開口部４の縁部４ａである以外は、第２胴部弾性部材２３ｂ，２３ｂ’と同様であり、非連続である。本実施形態の第３胴部弾性部材２３ｃ，２３ｃ’は、非連続である。
【００２９】
背側部Ａ及び腹側部Ｂの前記補助胴部弾性部材２５ａ、２５ｂそれぞれは、図２に示すように、複数本の弾性部材から形成されており、各弾性部材は、互いに重ならないように配されている。補助胴部弾性部材２５ａ、２５ｂそれぞれは、パンツ型使い捨ておむつ１Ａの幅方向（中心線ＷＬと同方向）に平行に配されている。補助胴部弾性部材２５ａ、２５ｂそれぞれは、パンツ型使い捨ておむつ１Ａを着用したときに着用者の腸骨８の腸骨稜８ａから上前腸骨棘８にかけての部位（図４及び図５参照）に位置する第１領域Ｆ１に配されている。
【００３０】
第１実施形態のパンツ型使い捨ておむつ１Ａを着用した状態で、背側部Ａの補助胴部弾性部材２５ａ及び腹側部Ｂの補助胴部弾性部材２５ｂそれぞれを、着用者の腸骨稜８ａから上前腸骨棘８ｂにかけての部位に位置するように配するためには、パンツ型使い捨ておむつ１Ａの寸法と着用者の体格との関係が重要である。
着用対象者が幼児である場合、図２に示すように、背側部Ａの複数本の補助胴部弾性部材２５ａの中の中央に位置する弾性部材（パンツ型使い捨ておむつ１Ａの長手方向に沿う中央位置）と幅方向に延びる中心線ＷＬとの間の距離Ｋ１は、好ましくは、１８０〜２３０ｍｍであり、更に好ましくは、１４５〜１８０ｍｍである。腹側部Ｂの複数本の補助胴部弾性部材２５ｂの中の中央に位置する弾性部材（パンツ型使い捨ておむつ１Ａの長手方向に沿う中央位置）と幅方向に延びる中心線ＷＬとの間の距離Ｋ２は、好ましくは、１８０〜２３０ｍｍであり、更に好ましくは、１４５〜１８０ｍｍである。
着用対象者が成人である場合、距離Ｋ１は、好ましくは、３００〜３５０ｍｍであり、更に好ましくは、３０５〜３３５ｍｍである。更に、距離Ｋ２は、好ましくは、３００〜３５０ｍｍであり、更に好ましくは、３０５〜３３５ｍｍである。
【００３１】
第１実施形態の背側部Ａの補助胴部弾性部材２５ａと２５ａ’とは、連続しており、右側の側縁部２ａと左側の側縁部２ａ’との間に亘って配されており、吸収性本体３が存在する部位においては、補助胴部弾性部材２５ａが、右側の側縁部２ａと吸収性本体３の右側側縁部との間に亘って配され、補助胴部弾性部材２５ａ’が、左側の側縁部２ａ’と吸収性本体３の左側側縁部との間に亘って配されており、吸収性本体３の側縁部近傍同士の間には補助胴部弾性部材が配されていない。腹側部Ｂの補助胴部弾性部材２５ｂについては、補助胴部弾性部材２５ａと同様である。
【００３２】
背側部Ａ及び腹側部Ｂの前記ウエスト弾性部材２６ａ、２６ｂそれぞれは、図２に示すように、複数本の弾性部材から形成されており、各弾性部材は、互いに重ならないように配されている。ウエスト弾性部材２６ａ、２６ｂそれぞれは、パンツ型使い捨ておむつ１Ａの幅方向（中心線ＷＬと同方向）に平行に配されている。ウエスト弾性部材２６ａ、２６ｂそれぞれは、第１領域Ｆ１より外方に位置する第２領域Ｆ２に配されている。
第１実施形態の背側部Ａのウエスト弾性部材２６ａと２６ａ’とは、連続しており、右側の側縁部２ａと左側の側縁部２ａ’との間に亘って配されている。腹側部Ｂのウエスト弾性部材２６ｂについては、ウエスト弾性部材２６ａと同様である。
【００３３】
背側部Ａ及び腹側部Ｂの前記下方補助弾性部材２７ａ、２７ｂそれぞれは、図２に示すように、複数本の弾性部材から形成されており、各弾性部材は、互いに重ならないように配されている。下方補助弾性部材２７ａ、２７ｂそれぞれは、パンツ型使い捨ておむつ１Ａの幅方向（中心線ＷＬと同方向）に平行に配されている。下方補助弾性部材２７ａ、２７ｂそれぞれは、第１領域Ｆ１より内方に位置する第３領域Ｆ３に配されている。
第１実施形態の背側部Ａの下方補助弾性部材２７ａと２７ａ’とは、非連続であり、下方補助弾性部材２７ａが、右側の側縁部２ａと吸収性本体３の右側側縁部との間に亘って配され、下方補助弾性部材２７ａ’が、左側の側縁部２ａ’と吸収性本体３の左側側縁部との間に亘って配されており、吸収性本体３の側縁部近傍同士の間には下方補助弾性部材が配されていない。腹側部Ｂの下方補助弾性部材２７ｂについては、下方補助弾性部材２７ａと同様である。
【００３４】
前記吸収性本体３は、図３に示すように、液透過性の表面シート３２、液不透過性又は撥水性の裏面シート３３及び両シート３２、３３間に介在配置された液保持性の吸収性コア３４を有しており、実質的に縦長である。吸収性本体３は、外包材２の背側部Ａから腹側部Ｂに跨って配設されており、吸収性本体３の長手方向端部は、外包材２の長手方向端部よりも長手方向内方に後退した位置にある。吸収性本体３は、接着剤、ヒートシール、超音波シール等による接合法によって外包材２の内層シート２２に接合されている。
【００３５】
吸収性本体３の前記表面シート３２、前記裏面シート３３及び前記吸収性コア３４は、それぞれ矩形状であり、一体化されて、縦長の吸収性本体３を形成している。表面シート３２、裏面シート３３及び吸収性コア３４としては、それぞれ、従来からこの種のおむつに用いられているものと同様のものを用いることができる。例えば、吸収性コア３４としては、吸収性ポリマーの粒子及び繊維材料から構成され、ティッシュペーパ（図示せず）によって被覆されているものを用いることができる。
【００３６】
前記吸収性本体３の長手方向両側部には、図３に示すように、液抵抗性又は撥水性で且つ通気性の素材から構成された側方カフス３５，３５が設けられている。各側方カフス３５の自由端部近傍には、側方カフス弾性部材３６が伸長状態で配されている。側方カフス３５は、おむつの着用時に自由端部側が起立し、吸収性本体３の幅方向への液の流出が阻止される。側方カフス３５の形成用の側方カフス形成シート３７は、吸収性本体３の幅方向外側の所定幅の部分３７Ａが、 吸収性コア３４の肌当接面側に巻き下げられ、吸収性コア３４と裏面シート３３との間又は裏面シート３３と外包材２との間に固定されている。
【００３７】
第１実施形態のパンツ型使い捨ておむつ１Ａの形成材料について説明する。
前記外層シート２１及び前記内層シート２２としては、この種の物品に従来使用されている各種のシート材を特に制限なく用いることができるが、不織布であることが好ましく、特に柔軟性等の観点から、エアースルー不織布、ヒートロール不織布、スパンレース不織布、スパンボンド不織布、メルトブローン不織布等からなる単層シート又は積層シートであることが好ましい。外層シート２１及び内層シート２２として用いる不織布は、撥水性の不織布であることが、漏れ出した尿の被害を低減する観点から好ましい。
【００３８】
前記第１胴部弾性部材２３ａ，２３ａ’、前記第２胴部弾性部材２３ｂ，２３ｂ’、前記第３胴部弾性部材２３ｃ，２３ｃ’、前記第４胴部弾性部材２３ｄ，２３ｄ’、前記補助胴部弾性部材２５ａ，２５ａ’，２５ｂ，２５ｂ’、前記ウエスト弾性部材２６ａ，２６ａ’，２６ｂ，２６ｂ’及び前記下方補助弾性部材２７ａ，２７ａ’，２７ｂ，２７ｂ’それぞれの形成材料としては、使い捨ておむつや生理用ナプキン等の吸収性物品に用いられる各種公知の弾性材料を特に制限なく用いることができる。弾性材料としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、多角形状等の糸状（糸ゴム等）若しくは紐状（平ゴム等）のもの、又はマルチフィラメントタイプの糸状のもの等を用いることができる。
【００３９】
次に上述した本発明の第１実施形態のパンツ型使い捨ておむつ１Ａを使用した際の作用効果について説明する。
第１実施形態のパンツ型使い捨ておむつ１Ａは、図１〜図３に示すように、背側部Ａの左右それぞれに弾性伸縮部Ｄ，Ｄ’を有し、左右の弾性伸縮部Ｄ，Ｄ’それぞれは、第１胴部弾性部材２３ａ，２３ａ’及び第２胴部弾性部材２３ｂ，２３ｂ’とを具備している。
第１胴部弾性部材２３ａ，２３ａ’は、図２に示すように、レッグ開口部５の縁部５ａ，５ａ’からウエスト開口部４の縁部に向って斜め方向（角度α）に延び、第２胴部弾性部材２３ｂ，２３ｂ’は、背側部Ａの側縁部２ａ，２ａ’から背側部Ａの股下部Ｃ寄りの中心部に向って斜め方向（角度β）に延びている。また、第１胴部弾性部材２３ａ，２３ａ’及び第２胴部弾性部材２３ｂ，２３ｂ’は、図２に示すように、背側交差部２４ａ，２４ａ’の形成位置が、パンツ型使い捨ておむつ１Ａを着用したときに着用者の大転子７の部位に当接するように、配されている。
このように、第１胴部弾性部材２３ａ，２３ａ’及び第２胴部弾性部材２３ｂ，２３ｂ’が、配されているため、脚回りに弾性部材を具備しなくても、パンツ型使い捨ておむつ１Ａがズレ落ちることがなく、吸収性本体３が着用者にフィットするので、体液の漏れを防止することができる。また、脚回りに弾性部材を具備していないので、着用者の脚回りにゴム跡を残してしまうこともない。
【００４０】
更に、第１実施形態のパンツ型使い捨ておむつ１Ａは、図２及び図３に示すように、腹側部Ｂの左右それぞれに弾性伸縮部Ｅ，Ｅ’を有し、左右の前記弾性伸縮部Ｅ，Ｅ’それぞれは、第３弾性部材２３ｃ，２３ｃ’と第４胴部弾性部材２３ｄ，２３ｄ’とが交差して形成された腹側交差部２４ｂ，２４ｂ’を具備している。
第３胴部弾性部材２３ｃ，２３ｃ’は、図２に示すように、腹側部Ｂの側縁部２ｂ，２ｂ’からウエスト開口部４の縁部に向って斜め方向（角度γ）に延び、第４胴部弾性部材２３ｄ，２３ｄ’は、ウエスト開口部４の縁部から腹側部Ｂの股下部Ｃ寄りの中心部に向って斜め方向（角度δ）に延びている。
また、第１実施形態のパンツ型使い捨ておむつ１Ａは、背側交差部２４ａの中心と長手方向に延びる中心線ＣＬとの間の距離Ｗ１が、腹側交差部２４ｂの中心と長手方向に延びる中心線ＣＬとの間の距離Ｗ２より長く、背側交差部２４ａの中心と幅方向に延びる中心線ＷＬとの間の距離Ｌ１が、腹側交差部２４ｂの中心と幅方向に延びる中心線ＷＬとの間の距離Ｌ２より短く形成されている
このように、第３弾性部材２３ｃ，２３ｃ’及び第４胴部弾性部材２３ｄ，２３ｄ’が、配されているため、脚回りに弾性部材を具備しなくても、パンツ型使い捨ておむつ１Ａが、更にズレ落ちることがなく、吸収性本体３が着用者にフィットするので、体液の漏れを防止することができる。
【００４１】
更に、第１実施形態のパンツ型使い捨ておむつ１Ａは、図１〜図４に示すように、背側部Ａの左右の弾性伸縮部Ｄ，Ｄ’及び腹側部Ｂの左右の弾性伸縮部Ｅ，Ｅ’それぞれに、補助胴部弾性部材２５ａ，２５ａ’，２５ｂ，２５ｂ’を、有している。
補助胴部弾性部材２５ａ，２５ａ’，２５ｂ，２５ｂ’それぞれは、図２に示すように、パンツ型使い捨ておむつ１Ａの幅方向（中心線ＷＬと同方向）に平行に配されており、補助胴部弾性部材２５ａ，２５ａ’，２５ｂ，２５ｂ’それぞれは、パンツ型使い捨ておむつ１Ａを着用したときに着用者の腸骨稜８ａから上前腸骨棘８ｂにかけての部位に位置するように配されている。
このように、補助胴部弾性部材２５ａ，２５ａ’，２５ｂ，２５ｂ’が、配されているため、腸骨でパンツ型使い捨ておむつ１Ａを支えやすくすることができ、着用者へのフィット性を更に高めることができる。
【００４２】
次に、本発明の第２実施形態のパンツ型使い捨ておむつについて、図６及び図７に基づいて説明する。
第２実施形態のパンツ型使い捨ておむつ１Ｂについては、第１実施形態のパンツ型使い捨ておむつ１Ａと異なる点について説明する。特に説明しない点は、第１実施形態のパンツ型使い捨ておむつ１Ａと同様であり、第１実施形態のパンツ型使い捨ておむつ１Ａの説明が適宜適用される。
【００４３】
第２実施形態のパンツ型使い捨ておむつ１Ｂは、図６に示すように、腹側部Ｂの左右それぞれに弾性伸縮部Ｅ，Ｅ’を有し、左右の前記弾性伸縮部Ｅ，Ｅ’それぞれは、２枚のシート材２１，２２と、２枚のシート材２１，２２間に配された第５弾性部材２３ｅ，２３ｅ’とを有している。
第５胴部弾性部材２３ｅ，２３ｅ’は、ウエスト開口部４の縁部４ａから腹側部Ｂの側縁部２ｂに向って斜め方向に延び、第５胴部弾性部材２３ｅ，２３ｅ’は、背側部Ａの第２胴部弾性部材２３ｂの側縁部２ａの対応位置２ａ２と接続するように配されている。
【００４４】
前記第５胴弾性部材２３ｅ、２３ｅ’は、好ましくは１０〜１５０ｍｍ、更に好ましくは３０〜１００ｍｍの幅の中に少なくとも２本以上、好ましくは３本〜１０本の弾性部材を有するように配設されている。
第２実施形態の第５胴部弾性部材２３ｅは、第１胴部弾性部材２３ａと同様に、７本の弾性部材から形成されており、各弾性部材は、互いに重ならないように配されている。
複数本の第５胴部弾性部材２３ｅの中の中央に位置する弾性部材は、図６に示すように、パンツ型使い捨ておむつ１Ｂの幅方向（中心線ＷＬと同方向）に平行に配置された複数本のウエスト弾性部材２６ｂの中の中央に位置する弾性部材と角度εで交差しており、ウエスト開口部４の縁部４ａから腹側部Ｂの側縁部２ｂに向って斜め方向（角度ε）に延びている。第５胴部弾性部材２３ｅは、図６及び図７に示すように、背側部Ａの第２胴部弾性部材２３ｂの側縁部２ａの対応位置２ａ２と接続するように配されているので、第５胴部弾性部材２３ｅと第２胴部弾性部材２３ｂとは、直線状に連続して配されている。
ここで、本実施形態のウエスト開口部４の縁部４ａとは、図６に示すように、複数本の第５胴部弾性部材２３ｅの中の中央に位置する弾性部材が、ウエスト開口部４の周縁と接しており、その接点が、側縁部２ｂの側縁２ｂ１から、０〜１９０ｍｍの範囲に位置していることをいう。
また、角度εは、好ましくは、０〜９０°であり、更に好ましくは、３０〜６０°である。
第５胴部弾性部材２３ｅ，２３ｅ’の形成材料としては、前記第１胴部弾性部材２３ａと同様に、使い捨ておむつや生理用ナプキン等の吸収性物品に用いられる各種公知の弾性材料を特に制限なく用いることができる。
【００４５】
次に上述した本発明の第２実施形態のパンツ型使い捨ておむつを使用した際の作用効果について説明する。
第２実施形態のパンツ型使い捨ておむつ１Ｂは、図６及び図７に示すように、背側部Ａの左右それぞれに弾性伸縮部Ｄ，Ｄ’を有し、左右の弾性伸縮部Ｄ，Ｄ’それぞれは、第１胴部弾性部材２３ａ，２３ａ’及び第２胴部弾性部材２３ｂ，２３ｂ’とを具備している。
第１胴部弾性部材２３ａ，２３ａ’及び第２胴部弾性部材２３ｂ，２３ｂ’は、第１実施形態のパンツ型使い捨ておむつ１Ａと同様に配されているため、脚回りに弾性部材を具備しなくても、パンツ型使い捨ておむつ１Ｂがズレ落ちることがなく、吸収性本体３が着用者にフィットするので、体液の漏れを防止することができる。また、脚回りに弾性部材を具備していないので、着用者の脚回りにゴム跡を残してしまうこともない。
【００４６】
更に、第２実施形態のパンツ型使い捨ておむつ１Ｂは、図６及び図７に示すように、第５胴部弾性部材２３ｅ，２３ｅ’が、ウエスト開口部４の縁部４ａから腹側部Ｂの側縁部２ｂに向って斜め方向（角度ε）に延び、背側部Ａの第２胴部弾性部材２３ｂの側縁部２ａの対応位置２ａ２と接続するように配されているので、脚回りに弾性部材を具備しなくても、パンツ型使い捨ておむつ１Ｂが、更にズレ落ちることがなく、吸収性本体３が着用者にフィットするので、体液の漏れを防止することができる。
【００４７】
次に、本発明の第３実施形態のパンツ型使い捨ておむつについて、図８に基づいて説明する。
第３実施形態のパンツ型使い捨ておむつ１Ｃについては、第１実施形態のパンツ型使い捨ておむつ１Ａと異なる点について説明する。特に説明しない点は、第１実施形態のパンツ型使い捨ておむつ１Ａと同様であり、第１実施形態のパンツ型使い捨ておむつ１Ａの説明が適宜適用される。
【００４８】
第３実施形態のパンツ型使い捨ておむつ１Ｃは、図８に示すように、背側部Ａの左右それぞれに弾性伸縮部Ｄ，Ｄ’を有しているが、第１実施形態のパンツ型使い捨ておむつ１Ａと異なり、パンツ型使い捨ておむつ１Ａを着用したときに着用者の腸骨稜８ａから上前腸骨棘８ｂにかけての部位に位置する第１領域Ｆ１には、補助胴部弾性部材２５ａ，２５ａ’が配されていない形態である。
また、第３実施形態のパンツ型使い捨ておむつ１Ｃは、図８に示すように、腹側部Ｂの左右それぞれに弾性伸縮部Ｅ，Ｅ’を有しているが、第１実施形態のパンツ型使い捨ておむつ１Ａと異なり、第１領域Ｆ１には、補助胴部弾性部材２５ｂ，２５ｂ’が配されておらず、第３胴部弾性部材２３ｃ，２３ｃ’及び第４胴部弾性部材２３ｄ，２３ｄ’の何れも配されていない形態である。
【００４９】
次に上述した本発明の第３実施形態のパンツ型使い捨ておむつを使用した際の作用効果について説明する。
第３実施形態のパンツ型使い捨ておむつ１Ｃは、図８に示すように、補助胴部弾性部材２５ａ，２５ａ’，２５ｂ，２５ｂ’、第３胴部弾性部材２３ｃ，２３ｃ’及び第４胴部弾性部材２３ｄ，２３ｄ’の何れも配されていないが、背側部Ａの左右の弾性伸縮部Ｄ，Ｄ’それぞれは、第１胴部弾性部材２３ａ，２３ａ’及び第２胴部弾性部材２３ｂ，２３ｂ’とを具備している。
第１胴部弾性部材２３ａ，２３ａ’及び第２胴部弾性部材２３ｂ，２３ｂ’は、第１実施形態のパンツ型使い捨ておむつ１Ａと同様に配されているため、脚回りに弾性部材を具備しなくても、パンツ型使い捨ておむつ１Ｃがズレ落ちることがなく、吸収性本体３が着用者にフィットするので、体液の漏れを防止することができる。また、脚回りに弾性部材を具備していないので、着用者の脚回りにゴム跡を残してしまうこともない。
【００５０】
本発明のパンツ型着用物品は、上述の第１〜第３実施形態のパンツ型使い捨ておむつに何ら制限されるものではなく、適宜変更可能である。また、上述の第１〜第３実施形態のパンツ型使い捨ておむつにおける各構成要件は、本発明の趣旨を損なわない範囲で、適宜組み合わせて実施できる。
【００５１】
例えば、上述の第１〜第３実施形態のパンツ型使い捨ておむつ１Ａ，１Ｂ，１Ｃにおいては、外包材２は、その長手方向に、背側部Ａ、股下部Ｃ及び腹側部Ｂを有しているが、外包材２は、背側部Ａの部分と腹側部Ｂの部分の２つに分離されていても良い。
【００５２】
また、上述の第１〜第３実施形態のパンツ型使い捨ておむつ１Ａ，１Ｂ，１Ｃにおいては、第１胴部弾性部材２３ａ，２３ａ’、第２胴部弾性部材２３ｂ，２３ｂ’、第３胴部弾性部材２３ｃ，２３ｃ’、第４胴部弾性部材２３ｄ，２３ｄ’、第５胴部弾性部材２３ｅ，２３ｅ’及び補助胴部弾性部材２５ａ，２５ａ’，２５ｂ，２５ｂ’それぞれは、外包材２を構成する外層シート２１と内層シート２２との間に配されているが、外層シート２１又は内層シート２２の何れかのみを具備する外包材２に配されていても良い。
【００５３】
また、上述の第１〜第３実施形態のパンツ型使い捨ておむつ１Ａ，１Ｂ，１Ｃにおいては、第１胴部弾性部材２３ａ，２３ａ’は、図２に示すように、第２領域Ｆ２に存在し、連続しているが、第２領域Ｆ２に存在せず、非連続でも良い。
【００５４】
また、上述の第１〜第３実施形態のパンツ型使い捨ておむつ１Ａ，１Ｂ，１Ｃにおいては、第２胴部弾性部材２３ｂ，２３ｂ’、第４胴部弾性部材２３ｄ，２３ｄ’補助胴部弾性部材２５ａ、２５ｂ、下方補助弾性部材２７ａ、２７ｂそれぞれは、吸収性本体３の側縁部近傍同士の間には配されていないが、吸収性本体３に皺を形成し難ければ存在していても良く、例えば、弾性部材を細かく分断することにより弾性伸縮性を発現しない状態で存在していても良い。また、熱を付与することにより弾性伸縮性を発現しない状態で存在していても良い。
【００５５】
また、上述の第１〜第３実施形態のパンツ型使い捨ておむつ１Ａ，１Ｂ，１Ｃにおいては、背側部Ａの第１胴部弾性部材２３ａ，２３ａ’及び第２胴部弾性部材２３ｂ，２３ｂ’並びに腹側部Ｂの第３胴部弾性部材２３ｃ，２３ｃ’及び第４胴部弾性部材２３ｄ，２３ｄ’それぞれを構成する弾性部材の本数は、同数の７本であるが、同数でなくても良い。
【００５６】
また、上述の第１〜第３実施形態のパンツ型使い捨ておむつ１Ａ，１Ｂ，１Ｃにおいては、レッグ弾性部材が配されていないが、レッグ開口部の周縁部に弾性部材を配しても良い。
【００５７】
本発明は、パンツ型使い捨ておむつ以外にも、例えば、パンツ型の生理用ナプキン等の吸収性物品に好適に用いることができる。
【図面の簡単な説明】
【００５８】
【図１】本発明の第１実施形態であるパンツ型使い捨ておむつの背側部から見た斜視図である。
【図２】図１に示すパンツ型使い捨ておむつを展開して伸張した状態を示す展開平面図である。
【図３】図２に示すパンツ型使い捨ておむつの分解斜視図である。
【図４】図１に示すパンツ型使い捨ておむつを装着した状態を示す図である。
【図５】人体の腸骨を示す説明図である。
【図６】本発明の第２実施形態であるパンツ型使い捨ておむつを展開して伸張した状態を示す展開平面図である。
【図７】図６に示すパンツ型使い捨ておむつの平面図である。
【図８】本発明の第３実施形態であるパンツ型使い捨ておむつを展開して伸張した状態を示す展開平面図である。
【符号の説明】
【００５９】
１Ａ，１Ｂ，１Ｃ  パンツ型使い捨ておむつ
２  外包材
２ａ  背側部Ａの側縁部
２ｂ  腹側部Ｂの側縁部
２１  外層シート
２１Ｂ  延出領域
２２  内層シート
２３ａ，２３ａ’  第１胴部弾性部材
２３ｂ，２３ｂ’  第２胴部弾性部材
２３ｃ，２３ｃ’  第３胴部弾性部材
２３ｄ，２３ｄ’  第４胴部弾性部材
２３ｅ，２３ｅ’  第５胴部弾性部材
２４ａ，２４ａ’  背側交差部
２４ｂ，２４ｂ’  腹側交差部
２５ａ，２５ａ’，２５ｂ，２５ｂ’  補助胴部弾性部材
２６ａ，２６ａ’，２６ｂ，２６ｂ’  ウエスト弾性部材
２７ａ，２７ａ’，２７ｂ，２７ｂ’  下方補助弾性部材
３  吸収性本体
３２  表面シート
３３  裏面シート
３４  吸収性コア
３５  側方カフス
３６  側方カフス弾性部材
３７  側方カフス形成用シート
４  ウエスト開口部
４ａ  ウエスト開口部４の縁部
５，５’  レッグ開口部
５ａ，５ａ’  レッグ開口部５，５’の縁部
６，６’  サイドシール部
７  大転子
７ａ  幅方向大転子中心線
８  腸骨
８ａ  腸骨稜
８ｂ  腸骨棘
８ｃ  幅方向腸骨中心線
Ａ  背側部
Ｂ  腹側部
Ｃ  股下部
Ｄ，Ｄ’  背側部Ａの弾性伸縮部
Ｅ，Ｅ’  腹側部Ｂの弾性伸縮部
【図１】
0005107760.tif 000002
【図２】
0005107760.tif 000003
【図３】
0005107760.tif 000004
【図４】
0005107760.tif 000005
【図５】
0005107760.tif 000006
【図６】
0005107760.tif 000007
【図７】
0005107760.tif 000008
【図８】
0005107760.tif 000009